【手続補正書】
【提出日】平成17年3月2日(2005.3.2)
【手続補正１】
【補正対象書類名】明細書
【補正対象項目名】０００２
【補正方法】変更
【補正の内容】
【０００２】
【従来の技術】
近接通信を行うシステムとしては、例えば、IC(Integrated Circuit)システムが広く知られている。ICカードシステムにおいては、リーダ／ライタが電磁波を発生することにより、いわゆるRF(Radio Frequency)フィールド（磁界）を形成する。そして、リーダ／ライタに、ICカードが近づくと、ICカードは、電磁誘導によって、電源の供給を受けるとともに、リーダ／ライタとの間でデータ伝送を行う（例えば、特許文献１）。
【手続補正２】
【補正対象書類名】明細書
【補正対象項目名】０００６
【補正方法】変更
【補正の内容】
【０００６】
タイプＣは、本件出願人であるソニー株式会社のFeliCa方式として採用されているもので、リーダ／ライタとICカードとの間のデータ伝送には、Manchesterによるデータのエンコードが行われる。また、タイプＣでは、データの伝送レートとして、212kbpsが採用されている。
【特許文献１】特開平１０−１３３１２号公報
【手続補正３】
【補正対象書類名】明細書
【補正対象項目名】００７１
【補正方法】変更
【補正の内容】
【００７１】
以上のように構成される復調部１３では、受信部１２が出力する信号が、可変レート復調部５１とレート検出部５２に供給される。レート検出部５２は、受信部１２から供給される信号の伝送レートが、例えば、第１乃至第ＮのＮ通りの伝送レートのうちのいずれであるかを検出し、その伝送レートの信号を復調するように、可変レート復調部５１に指示する。そして、可変レート復調部５１は、受信部１２から供給される信号を、レート検出部５２からの指示に応じた伝送レートの信号として復調し、その復調結果を、デコード部１４に供給する。
【手続補正４】
【補正対象書類名】明細書
【補正対象項目名】００８３
【補正方法】変更
【補正の内容】
【００８３】
アクティブモードにおいて電磁波を出力しようとするNFC通信装置は、他の装置による電磁波の検出を行い、他の装置による電磁波が、時間ＴADT＋ｎ×ＴRFWだけ連続して検出されなかった場合、電磁波の出力を開始し、その出力から時間ＴARFGだけ経過した後に、データの送信(Send Response)を開始する。
【手続補正５】
【補正対象書類名】明細書
【補正対象項目名】０１０３
【補正方法】変更
【補正の内容】
【０１０３】
なお、イニシエータが、ポーリングリクエストフレームを再度送信した場合に、すべてのターゲット＃１乃至＃５が、ポーリングレスポンスフレームを返すこととすると、再び、ポーリングレスポンスフレームどうしがコリジョンを起こす可能性が大である。そこで、ターゲットにおいては、イニシエータからポーリングリクエストフレームを受信した後、それほど時間をおかずに、ポーリングリクエストフレームを再度受信した場合には、例えば、そのポーリングリクエストフレームを無視するようにすることができる。但し、この場合、図１１の実施の形態では、最初に送信されたポーリングリクエストフレームに対して、ポーリングレスポンスのコリジョンを生じているターゲット＃１と＃３については、イニシエータは、そのターゲット＃１と＃３のNFCIDを認識することができないので、ターゲット＃１または＃３との間でのデータのやりとりは、できないことになる。
【手続補正６】
【補正対象書類名】明細書
【補正対象項目名】０１１７
【補正方法】変更
【補正の内容】
【０１１７】
レスポンスATR_RESは、ターゲットが、コマンドATR_REQを受信した場合に、そのコマンドATR_REQに対する応答として、イニシエータに送信される。レスポンスATR_RESには、ターゲットの属性やNFCIDなどが配置される。
【手続補正７】
【補正対象書類名】明細書
【補正対象項目名】０１１８
【補正方法】変更
【補正の内容】
【０１１８】
なお、コマンドATR_REQやレスポンスATR_RESに配置される属性としての伝送レートの情報には、イニシエータやターゲットが送受信することのできるデータの伝送レートすべてを含めることができる。この場合、イニシエータとターゲットとの間で、コマンドATR_REQとレスポンスATR_RESのやりとりが１度行われるだけで、イニシエータは、ターゲットが送受信可能な伝送レートを認識することができ、ターゲットも、イニシエータが送受信可能な伝送レートを認識することができる。
【手続補正８】
【補正対象書類名】明細書
【補正対象項目名】０１５４
【補正方法】変更
【補正の内容】
【０１５４】
一方、ステップＳ２１において、変数ｎが、最大値Ｎに等しいと判定された場合、即ち、NFC通信装置が、Ｎ通りの伝送レートで、ポーリングリクエストフレームを送信するとともに、各伝送レートで返ってくるポーリングレスポンスフレームを受信した場合、ステップＳ２３に進み、NFC通信装置は、ポーリングレスポンスフレームが複数の装置から同時に送信されてきたこと等に起因して、正常受信することができなかったポーリングレスポンスフレームがあったかどうかと、ステップＳ１６で認識した他の装置のNFCIDの中に重複するものがあったかどうかを判定する。
【手続補正９】
【補正対象書類名】明細書
【補正対象項目名】０１６７
【補正方法】変更
【補正の内容】
【０１６７】
一方、ステップＳ３７において、パッシブモードのイニシエータから、コマンドDSL_REQが送信されてきたと判定された場合、即ち、NFC通信装置がコマンドDSL_REQを受信した場合、ステップＳ３８に進み、NFC通信装置は、コマンドDSL_REQに対するレスポンスDSL_RESを送信し、ディセレクト状態となって、ステップＳ３９に進む。
【手続補正１０】
【補正対象書類名】明細書
【補正対象項目名】０１８２
【補正方法】変更
【補正の内容】
【０１８２】
その後、ステップＳ５８に進み、NFC通信装置は、アクティブRFCA処理によって電磁波の出力を開始し、ステップＳ５７で記憶したNFCIDのターゲット（アクティブモードのターゲット）に、コマンドDSL_REQを、第ｎレートで送信する。これにより、そのターゲットは、以後送信されるポーリングリクエストフレーム等に応答しないディセレクト状態となる。その後、NFC通信装置は、RFオフ処理を行い、ステップＳ５８からＳ５９に進む。
【手続補正１１】
【補正対象書類名】明細書
【補正対象項目名】０１８８
【補正方法】変更
【補正の内容】
【０１８８】
一方、ステップＳ６１において、変数ｎが、最大値Ｎに等しいと判定された場合、即ち、NFC通信装置が、Ｎ通りの伝送レートで、ポーリングリクエストフレームを送信するとともに、各伝送レートで返ってくるポーリングレスポンスフレームを受信した場合、ステップＳ６３に進み、NFC通信装置は、ポーリングレスポンスフレームが複数の装置から同時に送信されてきたこと等に起因して、正常受信することができなかったポーリングレスポンスフレームがあったかどうかと、ステップＳ５６で認識した他の装置のNFCIDの中に重複するものがあったかどうかを判定する。
【手続補正１２】
【補正対象書類名】明細書
【補正対象項目名】０１９９
【補正方法】変更
【補正の内容】
【０１９９】
一方、ステップＳ７７において、パッシブモードのイニシエータから、コマンドDSL_REQが送信されてきたと判定された場合、即ち、NFC通信装置がコマンドDSL_REQを受信した場合、ステップＳ７８に進み、NFC通信装置は、アクティブRFCA処理によって電磁波の出力を開始し、コマンドDSL_REQに対するレスポンスDSL_RESを送信する。さらに、ステップＳ７８では、NFC通信装置は、RFオフ処理を行い、ディセレクト状態となって、ステップＳ７９に進む。
【手続補正１３】
【補正対象書類名】明細書
【補正対象項目名】０２０２
【補正方法】変更
【補正の内容】
【０２０２】
パッシブモードのイニシエータであるNFC通信装置は、ステップＳ９１において、通信する装置（以下、適宜、注目装置という）を、図１４のステップＳ１７でNFCIDを記憶したターゲットの中から選択し、ステップＳ９２に進む。ステップＳ９２では、コマンドWUP_REQを、注目装置に送信し、これにより、図１４のステップＳ１９でコマンドDSL_REQを送信することによりディセレクト状態とした注目装置の、そのディセレクト状態を解除する（以下、適宜、ウエイクアップする、ともいう）。
【手続補正１４】
【補正対象書類名】明細書
【補正対象項目名】０２２１
【補正方法】変更
【補正の内容】
【０２２１】
ここで、上述したように、NFC通信装置が、注目装置に対して、コマンドDSL_REQまたはRLS_REQを送信することにより、その注目装置としてのターゲットは、イニシエータとしてのNFC通信装置との通信の対象から解放される。但し、コマンドDSL_REQによって解放されたターゲットは、コマンドWUP_REQによって、再び、イニシエータと通信可能な状態となるが、コマンドRLS_REQによって解放されたターゲットは、イニシエータとの間で、上述したポーリングリクエストフレームとポーリングレスポンスフレームのやりとりが行われないと、イニシエータと通信可能な状態とならない。
【手続補正１５】
【補正対象書類名】明細書
【補正対象項目名】０２２３
【補正方法】変更
【補正の内容】
【０２２３】
ここで、以下、適宜、ターゲットとイニシエータとの間で、ポーリングリクエストフレームとポーリングレスポンスフレームのやりとりが行われないと、イニシエータと通信可能にならないターゲットの解放を、完全解放という。また、イニシエータからコマンドWUP_REQが送信されることによって、再び、イニシエータと通信可能となるターゲットの解放を、一時解放という。
【手続補正１６】
【補正対象書類名】明細書
【補正対象項目名】０２２４
【補正方法】変更
【補正の内容】
【０２２４】
ステップＳ１２０の処理後は、ステップＳ１２１に進み、NFC通信装置は、図１４のステップＳ１７でNFCIDを記憶したターゲットすべてが完全解放されたかどうかを判定する。ステップＳ１２１において、NFCIDを記憶したターゲットすべてが、まだ完全解放されていないと判定された場合、図１８のステップＳ９９に戻り、NFC通信装置は、完全解放されていないターゲット、即ち、一時解放されているターゲットの中から、新たに注目装置を選択し、以下、同様の処理を繰り返す。
【手続補正１７】
【補正対象書類名】明細書
【補正対象項目名】０２２６
【補正方法】変更
【補正の内容】
【０２２６】
なお、図１９のステップＳ１１６とＳ１１７において、コマンドDEP_REQとレスポンスDEP_RESがやりとりされることにより、ターゲットとイニシエータとの間で、データの送受信（データ交換）が行われるが、このコマンドDEP_REQとレスポンスDEP_RESのやりとりが、１つのトランザクションである。ステップＳ１１６とＳ１１７の処理後は、ステップＳ１１８，Ｓ１１１，Ｓ１１２，Ｓ１１３を介して、ステップＳ１１４に戻ることが可能であり、通信パラメータを変更することができる。従って、ターゲットとイニシエータとの間の通信に関する伝送レートなどの通信パラメータは、１つのトランザクションごとに変更することが可能である。
【手続補正１８】
【補正対象書類名】明細書
【補正対象項目名】０２３１
【補正方法】変更
【補正の内容】
【０２３１】
また、ステップＳ１３１において、イニシエータからコマンドWUP_REQが送信されてきたと判定された場合、即ち、NFC通信装置がコマンドWUP_REQを受信した場合、ステップＳ１３２に進み、NFC通信装置は、コマンドWUP_REQに対するレスポンスWUP_RESを送信し、ウエイクアップして、ステップＳ１３３に進む。
【手続補正１９】
【補正対象書類名】明細書
【補正対象項目名】０２３３
【補正方法】変更
【補正の内容】
【０２３３】
また、ステップＳ１３３において、イニシエータから、コマンドATR_REQが送信されてきたと判定された場合、即ち、NFC通信装置がコマンドATR_REQを受信した場合、ステップＳ１３４に進み、NFC通信装置は、コマンドATR_REQに対するレスポンスATR_RESを送信し、ステップＳ１３５に進む。
【手続補正２０】
【補正対象書類名】明細書
【補正対象項目名】０２４５
【補正方法】変更
【補正の内容】
【０２４５】
以上のように、イニシエータにおいては、ターゲットを識別するNFCIDを要求するポーリングリクエストフレームが送信され、そのポーリングリクエストフレームに対する応答としてターゲットが送信してくるポーリングレスポンスフレームに配置されたNFCIDが取得される。そして、イニシエータにおいて、ターゲットのNFCIDを正常に取得することができなかった場合は、ポーリングリクエストフレームが再送信される。一方、ターゲットは、イニシエータからのポーリングリクエストフレームを受信すると、自身のNFCIDを乱数により生成し、ポーリングレスポンスフレームに配置して、イニシエータに送信する。さらに、ターゲットは、イニシエータからポーリングリクエストフレームを再受信した場合、自身のNFCIDを乱数により再生成し、ポーリングレスポンスフレームに配置して、イニシエータに再送信する。
【手続補正２１】
【補正対象書類名】図面
【補正対象項目名】図１７
【補正方法】変更
【補正の内容】
【図１７】
2004200840.tif 000001